(57)【要約】  コンシューマエレクトロニクスデータ処理システムは、複数のデータネットワーク環境の１つを介して通信するように設定可能である。本システムは、その設定をする設定データを物理トークンから受け取るレシーバを有する。本システムは、ネットワークインターフェイスを介してデータネットワーク数審する装置を有する。本機器は、ネットワークインターフェイスを設定する設定データを受け取るレシーバを有する。トークンとレシーバはワイヤレスで通信する。
2007506383.tif 000002
【特許請求の範囲】
【請求項１】
複数のデータネットワーク環境の１つを介して通信するように設定可能なコンシューマエレクトロニクスデータ処理システムであって、
前記システムを設定するための設定データを物理トークンから受信するレシーバを有することを特徴とするシステム。
【請求項２】
請求項１に記載のシステムであって、
ネットワークインターフェイスを介してデータネットワーク通信する機器を有し、前記機器は前記ネットワークインターフェイスを設定するために前記設定データを受信するレシーバを有することを特徴とするシステム。
【請求項３】
請求項２に記載のシステムであって、
前記ネットワークインターフェイスを有することを特徴とするシステム。
【請求項４】
請求項３に記載のシステムであって、
前記機器は前記ネットワークインターフェイスを有することを特徴とするシステム。
【請求項５】
請求項１に記載のシステムであって、
前記トークンと前記レシーバはワイヤレスで前記設定データを通信するように動作可能であることを特徴とするシステム。
【請求項６】
請求項２に記載のシステムであって、
前記ネットワークインターフェイスは、モデム、ルータ、ドングルのうち少なくとも１つを有することを特徴とするシステム。
【請求項７】
請求項６に記載のシステムであって、
前記インターフェイスはブロードバンドモデムを有することを特徴とするシステム。
【請求項８】
請求項４に記載のシステムであって、
前記ネットワークインターフェイスは、モデム、ルータ、ドングルのうち少なくとも１つを有することを特徴とするシステム。
【請求項９】
請求項８に記載のシステムであって、
前記インターフェイスはブロードバンドモデムを有することを特徴とするシステム。
【請求項１０】
請求項１に記載のシステムであって、
データネットワーク通信する機器を有し、
前記機器は、前記トークンからの前記設定データの少なくとも一部により設定されるように設計されたことを特徴とするシステム。
【請求項１１】
請求項１０に記載のシステムであって、
前記機器はネットワークインターフェイスを介して前記データネットワーク通信を実行するように動作可能であり、
前記ネットワークインターフェイスは、前記トークンからの前記設定データの他の一部により設定されるように設計されたことを特徴とするシステム。
【請求項１２】
ネットワークインターフェイスを介してデータネットワークとデータ通信するコンシューマエレクトロニクス機器であって、
前記機器は、前記ネットワークインターフェイスを設定する設定データを物理トークンから受け取るレシーバを有することを特徴とする機器。
【請求項１３】
請求項１１に記載の機器であって、
前記トークンと前記レシーバはワイヤレスで前記設定データを通信するように動作可能であることを特徴とするシステム。
【請求項１４】
コンシューマエレクトロニクスデータ処理システムにネットワークインターフェイスを介して複数のネットワーク環境の１つで動作可能とする前記ネットワークインターフェイスの設定を可能とする方法であって、
前記システムを介して前記インターフェイスを設定するデータを表す情報を有するトークンを供給することを特徴とする方法。
【請求項１５】
請求項１４に記載の方法であって、
前記システムと前記トークンはワイヤレスで通信することを特徴とする方法。
【請求項１６】
請求項１５に記載の方法であって、
前記ネットワークインターフェイスは、モデム、ルータ、ドングルのうち少なくとも１つを有することを特徴とする方法。
【請求項１７】
請求項１６に記載の方法であって、
前記インターフェイスはブロードバンドモデムまたはブロードバンドモデム機能を有することを特徴とする方法。
【請求項１８】
コンシューマエレクトロニクスデータ処理システムがネットワークインターフェイスを介して複数のネットワーク環境の１つで動作する前記ネットワークインターフェイスの設定データを表す情報を有する物理トークンであって、
前記システムと通信する通信器を有することを特徴とするトークン。
【請求項１９】
請求項１８に記載のトークンであって、
前記通信機は前記システムとワイヤレスで通信することを特徴とするトークン。
【請求項２０】
請求項１８に記載のトークンであって、
前記ネットワークインターフェイスはブロードバンドモデムまたはブロードバンドモデム機能を有することを特徴とするトークン。
【請求項２１】
請求項１８に記載のトークンであって、
前記システム中のコンシューマエレクトロニクス機器を設定するさらに別のデータを表すさらに別の情報を有するトークン。
【発明の詳細な説明】
【技術分野】
【０００１】
本発明は、ネットワーク装置の設定方法に関し、特に、コンシューマエレクトロニクス（ＣＥ）及びホームネットワーク装置に関するが、これら以外を排除するものではない。本発明は、さらに、コンフィギュラブルネットワーク装置、特に、ブロードバンドモデムに関するが、これ以外のものを排除するものではない。
【背景技術】
【０００２】
ネットワークは、それを構成している装置が相互に接続されてできあがっている。ネットワークに新たに追加される新しい装置は、そのネットワークとインターラクトできるように構成されている必要がある。ネットワークして使用することができる機器は、ますます高いペースでＣＥマーケットに普及しつつある。ＣＥ装置のエンドユーザは、一般的にネットワーク機器の設定やカスタマイズに慣れていないので、新しく買った機器を動作させるには何らかの補助が必要である。一般的には、サービスプロバイダや製造会社のヘルプデスクが、このような補助を提供している。しかし、このようサービスでは、比較的コストと時間がかかってしまう。また、消費者も、ＣＥ機器を使用し始める場合、少しめんどうだと感じてしまう。ホットプラグアンドプレイが好ましいが、常に可能なわけではない。
【０００３】
ＣＥ機器の設定及びカスタマイズを容易にする、消費者に対するヘルプデスクによる補助に変わるものが、例えば、２０００年３月６日に出願された米国特許出願第０９／５１９，５４６号（代理人整理番号ＵＳ００００１４）（発明の名称「PERSONALIZING  CE  EQUIPMENT  CONFIGURATION  AT  SERVER  VIA  WEB-ENABLED  DEVICE」、発明者Erik  Ekkel  et  al.）に記載されている。この出願は、国際出願第ＷＯ０１５４４０６号として公開されており、ここに参照により援用する。この文書は、インターネット上のアプリケーションサーバに設定をさせることにより、ＣＥ機器の設定を容易にすることに関する。消費者は、ＰＣ、セットトップボックス、またはデジタル携帯電話等のインターネットに接続できる装置の好適なユーザインターフェイスを解して、特定のインターラクティブなウェブページで自分の好みを入力する。アプリケーションサーバは、入力された好みに基づき制御データを生成し、ＣＥ機器自体またはインターネット接続可能装置にその制御データをダウンロードする。
【０００４】
別のアプローチが、２００１年１２月２８日出願の米国特許出願第１０／０３４，６６４号（代理人整理番号ＵＳ０１８２１３）（発明の名称「METHOD  TO  AUTOMATICALLY  CONFIGURE  NETWORK  ROUTING  DEVICE」、発明者Paul  Chambers）に記載されている。この出願は、国際出願第ＷＯ０３０５６７５９号として公開されており、ここに参照により援用する。この文書は、データ処理装置と、外部ネットワークにアクセスするネットワークアクセス装置と、を有するホームネットワークに関する。新しい装置が追加されたとき、ネットワークの設定が必要となる。設定は次のようになされる。データ処理装置とアクセス装置の間の通信を監視する。そして、プロトコルと外部ネットワークアドレスに関する情報をその通信から取り出す。取り出した情報に基づき、ホームネットワークを自動的に設定する。
【０００５】
さらに別のやり方が、米国特許公開公報第２００２０００４９３５号に記載されており、ここに参照により援用する。この文書は、なかんずく、ＤＳＬモデムの設定ファイルをディスクまたはＣＤ−ＲＯＭで提供することを述べている。自動化されたシステムが、そのディスクまたはＣＤ−ＲＯＭから設定ファイルを読み出し、その設定ファイルを用いて加入者のＤＳＬモデムを設定する。
【発明の開示】
【課題を解決するための手段】
【０００６】
本願発明者は、データネットワーク機器の設定、特に、セットトップボックス、インターネットテレビ、デジタルビデオレコーダ（ＤＶＲ）、及びホームネットワークに接続されたその他の装置等であるＣＥ機器の設定を容易にする、既存の方法に対する代替案を提案する。ここで、例えば、データネットワークに合わせた設定に従って設定しなければならないＡＤＳＬ、ケーブル、その他のブロードバンドモデムを考える。これらのモデムは、エンドユーザのＣＥ装置に対するこのデータネットワークへの通信インターフェイスを形成し、エンドユーザ毎に特定のものである。本発明によると、ブロードバンド設定情報は、ブロードバンドオペレータによるトークン（例えば、ＲＦＩＤタグ）に格納して提供される。トークンはエンドユーザに提供される。動作時にモデムと協働するＣＥ機器に、例えば、ワイヤレスでトークンの情報を読み出し、適宜そのモデム装置を設定するリーダとデータプロセッサが備えられている。本発明は次の点で有利である。モデムとブロードバンドの接続をマニュアルで設定する必要がない。モデムとブロードバンドの接続を設定するのにＰＣを必要としない。これにより、ブロードバンドＣＥ装置のビジネスモデルが開拓できる。さらに、ユーザが機器を接続するとすぐに自動設定を実行できる。さらにまた、このシステムにより、販売後のサービスの必要性が減少し、ブロードバンドプロバイダのコストも低下する。また、トークンリーダを組み込んだＣＥ機器を持つユーザは、サービスとダウンロードを関連するＣＥ機器に直接関連づけやすくなる。
【０００７】
より具体的に、本発明は、複数のデータネットワーク環境の１つを介して通信可能なＣＥデータ処理システムに関する。本システムは、その設定をする設定データを物理トークンから受け取るレシーバを有する。例えば、本システムは、モデム、ルータ、ドングル、及びネットワークインターフェイスを介してデータネットワーク通信する装置等のネットワークインターフェイスを有する。本機器は、ネットワークインターフェイスを設定する設定データを受け取るレシーバを有する。
【０００８】
本発明の一実施形態において、本機器は、ネットワークインターフェイスを有する。例えば、組み込まれている。好ましくは、トークンとレシーバは、例えば、ラジオ周波数（ＲＦ）や赤外（ＩＲ）通信を用いて、ワイヤレスまたは非接触で設定データを通信できる。あるいは、システムとトークンは、例えば、両者の間に電気的接触がある有線方式で通信する。
【０００９】
本発明の他の実施形態は、例えば、モデム、ルータ、またはドングル等のネットワークインターフェイスを介するデータネットワークでデータ通信するＣＥ機器に関する。本機器は、ネットワークインターフェイスを設定する設定データを物理トークンから読み出すレシーバを有する。好ましくは、リーダは、例えば、ＲＦまたはＩＲを用いてワイヤレス方式でトークンと通信するように設計されている。
【００１０】
さらに別の実施形態は、コンシューマエレクトロニクスデータ処理システムにネットワークインターフェイスを介して複数のネットワーク環境の１つで動作可能とするネットワークインターフェイスを設定可能とする方法に関する。本方法は、前記システムを介して前記インターフェイスを設定するデータを表す情報を有するトークンの提供を含む。好ましくは、前記システムと前記トークンはワイヤレスで通信する。ネットワークインターフェイスは、例えば、モデム、ルータ、ドングル、のうち少なくとも１つを含む。
【００１１】
さらに他の実施形態は、コンシューマエレクトロニクスデータ処理システムがネットワークインターフェイスを介して複数のネットワーク環境の１つで動作する前記ネットワークインターフェイスの設定データを表す情報を有する物理トークンに関する。前記トークンは、ＲＦやＩＲ等のワイヤレス方式で、または有線で、前記システムと通信する通信器を有する。トークンがＣＥ機器とワイヤレスで通信する場合、この通信の物理ポートは機器の筐体から省くことができ、なめらかな整理された設計に資する。ワイヤレストークンの例は、ロイヤルフィリップスエレクトロニクスの非接触スマートカード技術に基づく。このような技術において識別目的で使用されるトークンは、ＲＦＩＤ（ＲＦ識別子）タグと呼ばれる。
【００１２】
このように、本発明は、ネットワーク機器、すなわち、データネットワーク上で使用する機器を設定する単純でユーザフレンドリーな方式を提供する。
【００１３】
実施例を挙げて添付した図面を参照して本発明をさらに詳しく説明する。
【００１４】
全ての図面で、同じ参照数字は同じかまたは対応する機能を示す。
【発明を実施するための最良の形態】
【００１５】
インターネットに接続するためには、インターネットサービスプロバイダ（ＩＳＰ）との接続を最初に確立する必要がある。このため、ユーザは、一般的にはＩＳＰにより電子メールまたは通常郵便によるＣＤ−ＲＯＭを用いて提供される複数のパラメータを事前に知っておかねばならない。そのパラメータを用いて、モデム等のネットワークインターフェイスを設定する。通常、パラメータはコンピュータを用いてインターフェイスにマニュアルで入力される。あるいは、そのモデムがパラメータを格納できない場合、インターフェイスに接続されたコンピュータにそのパラメータを入力してもよい。例えば、接続を確立するためには、以下のパラメータまたは設定情報を知っている必要がある：ログイン／ユーザネーム；パスワード；ＤＨＣＰ（動的ホスト構成プロトコル）クライアント起動。場合によっては、以下のパラメータも知らなければならない：プライマリＤＮＳ（動的ネームサーバ）ＩＰアドレス；セカンダリＤＮＳ（動的ネームサーバ）ＩＰアドレス；デフォルトゲートウェイ；及びプロトコルパラメータ。本願発明者は、セキュアでユーザフレンドリーなやり方で、パーソナルコンピュータが無くてもインターフェイスを自動的に設定するシステムを提案する。
【００１６】
図１は、本発明のシステム１００を示すブロック図である。システム１００は、例えば、インターネットにアクセスするためにＩＳＰ１０６にブロードバンド接続１０４を介して通信するように構成されたブロードバンドモデム１０２（または、例えばソフトウェアで実装されたブロードバンドモデム機能１０２）を有する。モデム１０２は、ＩＳＰ１０６との接続１０４を確立し終了するために必要なハードウェア及びソフトウェアを備えている。接続１０４は、一般的には、ＤＳＬまたはケーブルにより接続されるが、イーサネット（登録商標）や衛星等の他の媒体も可能である。任意的に、システム１００は、ルータ１０８とワイヤレスアクセスポイント（ＷＡＰ）１１０を有する。モデム（ＤＳＬ、ケーブル等）とルータの機能は、本技術分野において知られているので、ここではこれ以上説明しない。モデム１０２、ルータ１０８、及びＷＡＰ１１０は、装置１１２が、ここではインターネットを介してデータを受信、または送受信することができるように機能する。装置１１２は、例えば、接続１０４を介して受信したデータを描画するためのユーザインターフェイスを有するＰＣ、セットトップボックス、その他のＣＥ装置を含む。
【００１７】
モデム１０２は次のように設定される。ＩＳＰ１０６またはその他の者が、システム１００のエンドユーザにトークン１１４を供給する。トークン１１４にはモデム１０２を設定するためのデータが格納されている。装置１１２は、コンパチブルリーダ１１６を有するか、それに接続されて、トークン１１４から装置１１２にデータを取り込めるようになっている。装置１１２は、一般的に、モデム１０２を設定するために、トークン１１４から取得したデータを処理するデータプロセッサ１１８を有し、そのモデム１０２をＩＳＰ１０６により提供されたネットワーク環境で操作させる。
【００１８】
他のサービスプロバイダ１２０と１２２が、そのネットワークとプロトコルの使用に従ってモデム１０２を設定するトークン１２４と１２６をそれぞれ提供してもよい。
【００１９】
トークン１１４は、有線方式または（例えば、ＲＦを用いた）無線でリーダ１１６とインターラクトできる。後者の場合、トークン１１４は、例えば、受動的であり、リーダ１１６からのＲＦ信号により必要なデータを送信するパワーを供給されてもよい。
【００２０】
図２は本発明の方法２００を示すフロー図である。ステップ２０２において、システム１００のユーザは、サービスプロバイダ１０６にそれが提供するサービスへの加入要求を送信する。ステップ２０４において、サービスプロバイダ１０６は、トークン１１４を用意し、ユーザに送る。ステップ２０６において、トークン１１４を受信したユーザは、トークン１１４をリーダ１１６と通信させる。ステップ２０８において、リーダ１１６は、トークン１１４から設定データを読み取り、そのデータをプロセッサ１１８に送り、モデム１０２を設定する。
【００２１】
図３は、ＲＦ通信を用いた設定プロセスの一部を示すトークン１１４と装置１１２のブロック図である。装置１１２とトークン１１４の間のワイヤレス通信用ＲＦ技術の例としては、ＮＦＣ（近接場通信、ロイヤルフィリップスエレクトロニクスとソニーにより共同開発された技術）、ブルートゥース、ホームＲＦがある。ＮＦＣは、ＲＦＩＤに基づく低コストのピアツーピア（Ｐ２Ｐ）接続技術であり、セキュアなＰＡＮ／ＬＡＮ接続を自動的に設定するものである。短波ラジオ技術を用い、２１２ｋｂ／ｓの転送速度を有し、ブルートゥースに替わる成長力のある代替技術となっている。
【００２２】
例えば、トークン１１４と装置１１２の間のＲＦ通信は、ロイヤルフィリップスエレクトロニクスが使用しているように、短距離の非接触スマートカード技術に基づく。例えば、「Mifare  @  Standard  Card  IC  MF1  IC  S50  Functional  Specification  May  2001」のデータシートを参照してほしい。他の態様の非接触スマートカード技術については、例えば、米国特許第５，３４５，２３１号（代理人整理番号ＰＨＯ９０，５０８）を参照して欲しい。この文献はここに参照により援用する。トークン１１４は、設定データを有する、例えば不揮発性固体メモリであるメモリ３０２を有する。トークン１１４は、さらに、ＲＦデータ送信用トランスミッタ３０４を有する。装置１０２は、トランシーバ３０６、プロセッサ１１８、及びメモリ３０８を有するリーダ１１６を有する。動作は以下の通りである。好ましくは、ユーザが、例えば、スライドし、またはスイッチ（図示せず）を起動することにより、リーダ１１６を起動する。このようにユーザ制御により一時的に起動させることにより、リーダ１１６が起動しっぱなしにならない。トークン１１４中のアンテナ３０２は、リーダ１１６により放射された電磁場をピックアップし、トークン１１４のオンボード回路に誘導によりパワーを供給する。トークン１１４は、プロセッサ３０６の制御の下、メモリ３０４に格納されたデータの交換を開始するため、所定のプロトコルを用いてダイアログを開始する。メモリ３０４とプロセッサ３０６は、アンテナ３０２によりピックアップされた電磁場により、パワーを供給される。データ交換において認証段階を用いてデータ伝送をセキュアなものとする。リーダ１１６は、トークン１１４から受信したデータを解釈する。データは実行可能コードを含んでいてもよい。例えば、データには設定をするためにトークン１１４から装置１１２にダウンロードされたジャバアプレットが含まれる。プロセッサ１１８の制御の下、モデム１０２の設定を実行するように予めプログラムされるか、ジャバアプレットを処理することによって、設定データがメモリ３０８に書き込まれる。それ以降、モデム１０２を設定することにより、従来のいかなるプロセルも使用可能となる。プロセッサ１１８は、モデム１０２に設定データまたはセッティングを送信し、モデム１０２はこのセッティングを引き継ぐ。
【００２３】
図４、本発明の他のシステム４００を示すブロック図である。この場合、装置１１２は、それ自体がネットワーク環境で動作するためにセッティングが必要なインターネット接続可能装置である。インターネット接続可能装置の例としては、フィリップスにより製造販売されているStreamium  MCi-200とStreamiumMX-i6000がある。ここで、装置１１２を設定するために、リーダ１１６を、装置１１２の設定データを有するトークン４０２と使用する。あるいは、トークン１１４は、モデム１０２と装置１１２（、及び可能性としてはシステム４００上のさらに別の構成要素）の設定データを有する。ここで、リーダ１１６がトークン１１４とトークン４０２の両方で使用される場合、またはシステム４００上の複数の構成要素の設定データを有するトークン１１４で使用される場合、システム４００はどの構成要素にどの設定データを使用するかを判断しなければならない。この目的のため、設定データには、システム４００が、関係する構成要素を判断し、正しい設定データを使用できるようにする１つ以上の識別子が含まれている。例えば、装置１１２は、どの設定データがどの構成要素のものであるか判断できるように、モデム１０２とその他の構成要素にいくつかの予想される応答を問い合わせ、モデムとその他の構成要素に関する詳細を得る。他の例として、システム４００は、例えば、ＵＰｎＰ、Ｊｉｎｉ、及びレジストリに登録した機能を有する装置のインベントリを問い合わせすることができるその他のソフトウェアアーキテクチャに基づく。例えば、モデム１０２は、レジストリに登録され、適当な設定データに向けられていてもよい。
【図面の簡単な説明】
【００２４】
【図１】本発明のシステムを示すブロック図である。
【図２】本発明の方法を示すフロー図である。
【図３】図１のシステムの構成要素の詳細を示すブロック図である。
【図４】本発明の他のシステムを示すブロック図である。
【図１】
2007506383.tif 000003
【図２】
2007506383.tif 000004
【図３】
2007506383.tif 000005
【図４】
2007506383.tif 000006
【国際調査報告】
2007506383.tif 000007
2007506383.tif 000008